(57)【要約】【課題】収納されている植物材を外力から保護すると同時に歩行者の安全を確保しうる植栽用構造体、敷設体、敷設体を用いて緑化する方法を提供し、さらに敷設体の施工効率を向上する。【解決手段】植栽用構造体１の本体部材１０は、有底箱状であって、底部１１と、開口部１２と、内部空間１０１と、柱部１４を有している。開口部１２は、底部１１に向かい合い、内部空間１０１に連通している。柱部１４は、先端面１４１を有する先細り形状であって、底部１１と一体的に成形され、底部１１にマトリックス状に突設されている。防護部材３０は、貫通孔３３を有し、開口部１２を覆い、柱部１４の先端部分によって支持されている。貫通孔３３は婦人靴の踵部の先端が通過不能な孔形を有している。植物材４１、４２は、開口部１２から葉先を露出可能な向きで内部空間１０１に収納された状態で防護部材３０によって覆われている。【選択図】図１
2011000023.tif 000002
【特許請求の範囲】
【請求項１】
本体部材と、防護部材とを含む植栽用構造体であって、
前記本体部材は、有底箱状であって、開口部と、底部と、内部空間と、複数の柱部を有しており、
前記開口部は、前記底部に向かい合い、前記内部空間に連通しており、
前記複数の柱部は、それぞれ先端部分に平らな先端面を有する先細り形状であって、前記底部と一体的に成形され、前記底部にマトリックス状に突設されており、
前記防護部材は、面内に複数の貫通孔を有し、前記開口部を覆い、前記開口部を覆った状態で、前記柱部の前記先端部分によって支持されており、
前記貫通孔は、婦人靴の踵部の先端が通過不能な孔形を有している、
植栽用構造体。
【請求項２】
本体部材と、防護部材とを含む植栽用構造体であって、
前記本体部材は、第１の本体部材と、第２の本体部材とを有しており、
前記第１の本体部材は、複数の開口部と、第１の基板部と、複数の柱部と、内部空間とを有しており、
前記複数の開口部は、それぞれ前記第１の基板部の一面から他面に貫通し、前記第１の基板部にマトリックス状に配置されており、
前記複数の柱部は、それぞれ先端部分に平らな先端面を有する先細り形状であって、前記第１の基板部と一体的に成形され、前記第１の基板部の前記他面にマトリックス状に突設されており、
前記第２の本体部材は、第２の基板部と、複数の排水部と、複数の凹部とを有しており、
前記複数の排水部は、前記第２の基板部の一面から他面に落ち込み、前記第２の基板部の前記一面にマトリックス状に配置されており、
前記複数の凹部は、それぞれ有底孔であって前記柱部の前記先端部分の周面、及び、前記先端面に適合する形状を有し、前記第２の基板部の前記一面にマトリックス状に配置されており、
前記第１の本体部材と、前記第２の本体部材とは、前記第１の基板部の前記他面と、前記第２の基板部の前記一面とが向かい合わせに配置され、前記配置された状態で前記柱部の先端部分が、前記第２の本体部材の前記凹部に嵌合されており、
前記内部空間は、前記第１の基板部の前記他面と、前記第２の基板部の前記一面との向かい合わせ面間に形成されており、
前記防護部材は、面内に複数の貫通孔を有し、前記開口部を覆っており、
前記貫通孔は、婦人靴の踵部の先端が通過不能な孔形を有している、
植栽用構造体。
【請求項３】
請求項１又は２に記載された記載された前記植栽用構造体であって、
前記防護部材は、前記開口部の内部に配置され、前記配置された状態で、前記防護部材の一面が、前記開口部の開口端縁より低い位置にある、
植栽用構造体。
【請求項４】
請求項１乃至３に記載された植栽用構造体であって、
前記貫通孔は、最小差し渡し孔径が１０ｍｍ以下である、
植栽用構造体。
【請求項５】
植栽用構造体と、植物材とを含む敷設体であって、
前記植栽用構造体は、請求項１乃至４の何れかに記載されたものでなり、
前記植物材は、シート状またはマット状であって、前記開口部から葉先を露出可能な向きで、前記内部空間に収納され、前記収納された状態で、前記植物材の表面が前記防護部材によって覆われている、
敷設体。
【請求項６】
請求項５に記載された敷設体を用いて緑化する方法であって、
複数の前記敷設体を施工対象領域に配置し、
隣接する前記敷設体を結合する、
工程を含む緑化方法。
【発明の詳細な説明】
【技術分野】
【０００１】
本発明は、植物材、典型的には芝草を収納するために用いられる植栽用構造体、及び、敷設体に関し、さらに敷設体を用いて建物の敷地や屋上、公園、駐車場などを緑化する方法に関する。
【背景技術】
【０００２】
近年、都市部のヒートアイランド現象対策、及び、緑豊かな生活環境を形成する施策として、建物の敷地や屋上、公園、駐車場などの緑化が推進されている。
【０００３】
この種の緑化技術としては、幅寸法が３００ｍｍ、長手寸法が３５０ｍｍ程度のマット状に成形された芝生材を地表面に敷設する工法が広く知られている。例えば、特許文献１記載の発明は、縦横に連続配置した芝生材に打ち込んで、地表面に直接固定するために用いられる串に関するものである。なお、公園や運動場など敷設面積が広くなると、芝生材として反物状に巻かれた巻き芝が用いられる。
【０００４】
また、駐車場の緑化技術については、ヒートアイランド現象対策、生活環境施策という意義の他に、もう一つ、法律上の規制をクリアするという意義を有している。例えば、広大な工業用敷地を有している会社には、工場立地法により敷地面積に対して一定の割合で緑地面積を確保すべき旨の規制が加えられている。
【０００５】
工場立地法上の緑地規制によると、多数の運送トラックを保有し、且、敷地内に運送トラックのための駐車場を有する運送会社などは、施設拡張の必要性が生じたとしても、緑地面積を確保することができない場合には、計画を断念せざるを得ない。そこで、近年、上述した緑地面積を確保する手段としても駐車場の緑化技術に対する市場の要請が高まっている。
【０００６】
駐車場の緑化を実現するにあたって解決すべき特有の問題として、自動車の上載荷重によって芝生材が押し固められてしまう問題、及び、回転するタイヤから受ける摩擦によって芝生材が地面から剥がされてしまう問題がある。
【０００７】
上述した問題に対し、特許文献１では、自動車の上載荷重や回転するタイヤの摩擦から芝生材を保護することができない。また、特許文献１では、広大な敷地面積となる駐車場を緑化しようとすると、巻き芝の配置作業や、巻き芝への串打ち作業など現場作業工程数が多くなり、工期の長期化、施工コスト高を招く。
【０００８】
他方、駐車場の緑化に特有の問題解決を図る従来技術として、例えば、特許文献２及び３などがある。特許文献２には、踏圧抵抗突起を設けた格子状の樹脂製の植物生育保護盤が開示されており、この植物生育保護盤を芝生材上に配し、踏圧抵抗突起で歩行者の踏圧や自動車の上載荷重などから芝生材を保護するものである。
【０００９】
特許文献３には、多数の筒をネット状に連結し、各筒の内部に客土と芝草を収納する芝生収納部を設けてなる芝生保護パレットが開示されており、上述した各筒内で芝草を育成し、又は、各筒内に小さく切った芝生片を配置する。
【００１０】
しかし、上述した特許文献２及び３に記載された発明でも、特許文献１と同様に、駐車場の緑化に特有の問題を十分に解決しているとはいえない。特許文献２に示された植物生育保護盤の構造では、トラックなどの大型車両の上載荷重に耐えうるだけの機械的強度を確保することができない。さらに、植物生育保護盤を配置する工程に先立って、地表面に芝生材や巻き芝を敷設する工程が必要となるから、現場作業工程数が多くなり、工期の長期化、施工コスト高を招く。
【００１１】
また、特許文献３に記載された芝生保護パレットでは、芝草の育成工程や、芝生材の切断作業が面倒である。特に、広大な敷地面積となる駐車場を緑化しようとすると、工期の長期化、施工コスト高を招く。
【００１２】
ところで、緑化技術の普及が進むに従って、この種の植栽用構造体、及び、植栽用構造体に芝草が収納されてなる敷設体には、現実の使用に則して解決しなければならない新たな問題が生じている。即ち、歩行者が、パンプスやハイヒールなど細長い踵部を有する婦人靴を履いて敷設体上を歩いた場合、靴の爪先側が敷設体の踏み面によって支えられる一方、踵部だけが芝草を外部に露出するための開口部に没入することとなる。その結果、芝生上を直接歩いた場合よりも、敷設体の厚みの分だけ踵部先端の没入距離が拡大され、大きくバランスを崩し、思わぬ転倒事故が生じる。
【００１３】
また、一旦、開口部に没入した踵部は、踏み面に対して垂直方向に引き上げない限り、開口部の内面に突き当たることとなる。即ち、歩行中に踵部が開口部に没入すると、靴全体が没入場所に固定されることとなり、思わぬ転倒事故が生じる。
【００１４】
しかも、開口部に嵌り込んだ踵部が芝草に突き刺さることにより、芝草が傷つけられる不具合が生じる。
【００１５】
上述した婦人靴のヒール対策が完全に実現された緑化技術は、いまだ見出されていない。現状では、公園などの芝生地においては立ち入り禁止の看板を設置し、駐車場などの芝生地においては歩行者に転倒への注意を促す看板を設置するにとどまっている。
【先行技術文献】
【特許文献】
【００１６】
【特許文献１】特開平０８−０８９０８１号公報
【特許文献２】特開平０８−１３０９９３号公報
【特許文献３】特開２００２−０１７１７５号公報
【発明の概要】
【発明が解決しようとする課題】
【００１７】
本発明の課題は、収納されている植物材を外力から保護すると同時に歩行者の安全を確保しうる植栽用構造体、敷設体、敷設体を用いて緑化する方法を提供することで、敷設体の施工効率を向上することである。
【課題を解決するための手段】
【００１８】
本発明は、植栽用構造体を構成する本体部材の具体的構成に応じて、第１の態様と、第２の態様とを含む。以下、それぞれ説明する。
【００１９】
１．本発明の第１の態様
本発明の第１の態様に係る植栽用構造体は、本体部材と、防護部材とを含む。本体部材は、有底箱状であって、開口部と、底部と、内部空間と、複数の柱部を有している。開口部は、底部に向かい合い、内部空間に連通している。複数の柱部は、それぞれ先端部分に平らな先端面を有する先細り形状であって、底部と一体的に成形され、底部にマトリックス状に突設されている。
【００２０】
防護部材は、面内に複数の貫通孔を有し、開口部を覆い、開口部を覆った状態で、柱部の先端部分によって支持されている。貫通孔は、婦人靴の踵部の先端が通過不能な孔形を有している。
【００２１】
上述した植栽用構造体は、植物材と組み合わされて敷設体を構成する。植物材は、シート状またはマット状であって、本体部材の開口部から葉先を露出可能な向きで、本体部材の内部空間に収納され、収納された状態で、植物材の表面が防護部材によって覆われている。
【００２２】
本発明の第１の態様に係る敷設体を用いて緑化するに当たり、複数の敷設体を施工対象領域に配置し、隣接する敷設体を結合する。
【００２３】
本発明の第１の態様によると、植栽用構造体を構成する本体部材は、有底箱状であって、開口部が、底部に向かい合い、内部空間に連通している。この構造によると、開口部を通じて内部空間に植物材を案内し、底部に植物材を載置することができる。従って、敷設体は、植物材を本体部材に収納した状態で一体に持ち運ぶことが可能となり、組立現場から施工現場までの運搬作業、施工現場における施工対象領域への敷設作業などの施工効率が向上する。また、施工後においても敷設体の並べ替えが自在であるから、現場作業工程数を削減し、工期の効率化、施工コストの低減が図られる。
【００２４】
植物材は、シート状またはマット状であって、開口部から葉先を露出可能な向きで、内部空間に収納されている。この構造によると、開口部を通じて植物材の葉先を外部に露出することで、緑化された景観が演出される。
【００２５】
本体部材の開口部を通じて、本体部材の内部空間に収納された植物材の葉先を外部に露出することにより緑化された景観を演出する敷設体の構造では、敷設体上を歩行する人や駐車場の利用者の安全対策として、靴の踵部や爪先が開口部に引っかかりにくくして、歩行者の安全を確保する必要がある。特に、この種の敷設体では、パンプスやハイヒールなど細長い踵部を有する婦人靴を履いて歩行する場合が最も危険であるとされている。
【００２６】
上述した要請に応えるため、本発明の第１の態様に係る植栽用構造体は、防護部材を含み、防護部材は、本体部材の開口部を覆っている。この構造によると、歩行者が、敷設体上を歩いた場合でも、靴の踵部や爪先が開口部に引っかかりにくくなる。
【００２７】
さらに、防護部材は、面内に複数の貫通孔を有している。貫通孔は、婦人靴の踵部の先端が通過不能な孔形を有しているから、歩行者が、パンプスやハイヒールなど細長い踵部を有する婦人靴を履いて敷設体上を歩いた場合でも、踵部が植栽用構造体の内部に没入する不具合を回避することができる。従って、植物材を婦人靴の踵部から保護するとともに、踵部が植栽用構造体の内部に没入することにより生じる転倒事故を防止し、歩行者の安全を確保することができる。
【００２８】
植物材は、本体部材の内部空間に収納された状態で、植物材の表面が防護部材によって覆われている。防護部材は、面内に複数の貫通孔を有しているから、この貫通孔を通じて植物材の葉先を外部に露出することで、緑化された景観が演出される。
【００２９】
本体部材の柱部は、先端部分に平らな先端面を有する先細り形状であって、底部と一体的に成形され、複数が底部にマトリックス状に突設されている。防護部材は、開口部を覆った状態で、柱部の先端部分によって支持されている。即ち、本体部材の柱部は、内部空間に収納された植物材を貫通し、植物材の表面に露出する先端部分によって、防護部材を底部側から支持している。この構成によると、柱部の先端面と、植物材の表面との間に高低差が生じ、この高低差に応じた空間が確保される。従って、歩行者の踏圧や、自動車の上載荷重、回転するタイヤから受ける摩擦などの外力を柱部の先端面で支持し、植物材の表面を外力から保護することができる。
【００３０】
柱部は、本体部材の底部と一体的に成形されているから、外力に対して優れた機械的強度を有している。さらに、柱部は、複数が底部にマトリックス状に突設されているから、外力を各柱部の先端面で分散して支持することができる。従って、植物材を、外力から確実に保護することができる
柱部は、複数が底部にマトリックス状に突設されているから、植物材の根は本体部材の内部空間を自由に育成し、雨水等は柱部を避けて本体部材の内部空間を自由に移動する。従って、敷設体を敷設した後の植物材の育成コスト、維持管理コストを低減することができる。
【００３１】
２．本発明の第２の態様
本発明の第２の態様に係る植栽用構造体は、本体部材と、防護部材とを含む。本体部材は、第１の本体部材と、第２の本体部材とを有している。
【００３２】
第１の本体部材は、複数の開口部と、第１の基板部と、複数の柱部と、内部空間とを有している。複数の開口部は、それぞれ第１の基板部の一面から他面に貫通し、第１の基板部にマトリックス状に配置されている。複数の柱部は、それぞれ先端部分に平らな先端面を有する先細り形状であって、第１の基板部と一体的に成形され、第１の基板部の他面にマトリックス状に突設されている。
【００３３】
第２の本体部材は、第２の基板部と、複数の排水部と、複数の凹部とを有している。複数の排水部は、第２の基板部の一面から他面に落ち込み、第２の基板部の一面にマトリックス状に配置されている。複数の凹部は、それぞれ有底孔であって柱部の先端部分の周面、及び、先端面に適合する形状を有し、第２の基板部の一面にマトリックス状に配置されている。
【００３４】
第１の本体部材と、第２の本体部材とは、第１の基板部の他面と、第２の基板部の一面とが向かい合わせに配置され、配置された状態で柱部の先端部分が、第２の本体部材の凹部に嵌合されている。内部空間は、第１の基板部の他面と、第２の基板部の一面との向かい合わせ面間に形成されている。
【００３５】
防護部材は、面内に複数の貫通孔を有し、開口部を覆っている。貫通孔は、婦人靴の踵部の先端が通過不能な孔形を有している。
【００３６】
上述した植栽用構造体は、植物材と組み合わされて敷設体を構成する。植物材は、シート状またはマット状であって、本体部材（第１の本体部材）の開口部から葉先を露出可能な向きで、本体部材の内部空間に収納され、収納された状態で、植物材の表面が防護部材によって覆われている。
【００３７】
本発明の第２の態様に係る敷設体を用いて緑化するに当たり、複数の敷設体を施工対象領域に配置し、隣接する敷設体を結合する。
【００３８】
本発明の第２の態様は、植物材の葉先を露出するための開口部が防護部材で覆われている点で、本発明の第１の態様と共通する特徴的構成を有し、この特徴的構成により、本発明の第１の態様と同様の作用効果を奏することができる。例えば、植物材は、本体部材の開口部から葉先を露出可能な向きで、内部空間に収納され、収納された状態で、植物材の表面が防護部材によって覆われている。この構造によると、本体部材の開口部、及び、防護部材の貫通孔を通じて植物材の葉先を外部に露出し、緑化された景観を演出することができる。
【００３９】
防護部材は、本体部材の開口部を覆っているから、歩行者が、敷設体上を歩いた場合でも、靴の踵部や爪先が開口部に引っかかりにくくなる。しかも、防護部材の貫通孔は、婦人靴の踵部の先端が通過不能な孔形を有しているから、歩行者が、細長い踵部を有する婦人靴を履いて敷設体上を歩いた場合でも、踵部が植栽用構造体の内部に没入する不具合は回避される。従って、植物材を婦人靴の踵部から保護するとともに、踵部が植栽用構造体の内部に没入することにより生じる転倒事故を防止し、歩行者の安全を確保することができる。
【００４０】
さらに、本発明の第２の態様に係る植栽用構造体において、本体部材を構成する第１、第２の本体部材は、第１の基板部の他面と、第２の基板部の一面とが向かい合わせに配置され、第１の本体部材の柱部の先端部分が、第２の部材の凹部に嵌合されている。この構造によると、第１、第２の本体部材の相対向面間には、柱部の高さ寸法に応じた間隔をもつ内部空間が形成される。従って、この内部空間に植物材を収納することで、第１、第２の本体部材とにより植物材を挟持することができる。
【００４１】
第１、第２の本体部材の間隔は、柱部の高さ寸法に応じて規制されるから、柱部の高さ寸法を予め調節することにより、様々な厚み寸法を有する植物材を、第１、第２の本体部材の間で挟持することが可能となる。
【００４２】
第１の本体部材の柱部は、先端部分に平らな先端面を有する先細り形状であって、第１の基板部と一体的に成形され、複数が、第１の基板部の他面にマトリックス状に突設されているから、仮に、第１の基板部の一面に歩行者の踏圧や、自動車の上載荷重、回転するタイヤから受ける摩擦などの外力が加えられたとしても、この外力を柱部によって支持することができる。違う言葉で表現すれば、第１の基板部の一面に外力が加えられたとしても、第１、第２の本体部材の間隔が一定に保たれることとなり、外力によって植物材が押し固められてしまう問題は生じない。
【００４３】
植物材は、開口部から外部に露出している部分の全周が第１の基板部の一面によって囲まれているから、外力が第１の基板部の一面によって受けられ、植物材の表面が外力から保護される。
【００４４】
第１の本体部材の開口部は、複数が、第１の基板部の一面および他面に、マトリックス状に配置されている。通常、開口部の開口面積を小さくすれば、植物材を外力から保護することができる。しかし、開口部の開口面積を小さくすれば、その分だけ植物材の露出面積が減少し、緑化された景観を演出することができなくなる。そこで、本発明では、複数の開口部をマトリックス状に配置することにより、各開口部の開口面積を小さくするとともに、全体的な開口面積を最大限確保している。従って、植物材を外力から保護することと、緑化された景観の実現という、相反する要請を同時に達成することができる。
【００４５】
本体部材は、柱部によって、第１の基板部と植物材とが一体化されているから、第１の基板部に回転するタイヤの摩擦が加えられたとしても、本体部材には、植物材の重量を付加した制動力が働く。このため、本体部材が植物材を置き去りにして横移動してしまうなどの不正移動が抑制され、植物材を保護し続けることが可能になる。
【発明の効果】
【００４６】
以上述べたように、本発明によれば、収納されている植物材を外力から保護すると同時に歩行者の安全を確保しうる植栽用構造体、敷設体、敷設体を用いて緑化する方法を提供することができ、さらに敷設体の施工効率を向上することができる。
【００４７】
本発明の他の目的、構成及び利点については、添付図面を参照し、更に詳しく説明する。添付図面は、単に、例示に過ぎない。
【図面の簡単な説明】
【００４８】
【図１】本発明の一実施形態に係る植栽用構造体の斜視図である。
【図２】図１の植栽用構造体を分解して内部構造を示す斜視図である。
【図３】図２の本体部材について別の方向から見た斜視図である。
【図４】図１の植栽用構造体の平面図である。
【図５】図４の５−５線に沿った断面図である。
【図６】図４の６−６線に沿った断面図である。
【図７】図６の一部を拡大して示す断面図である。
【図８】図４の一部を拡大して示す平面図である。
【図９】本発明の一実施形態に係る敷設体の斜視図である。
【図１０】図９の敷設体の正面断面図である。
【図１１】本発明の一実施形態に係る緑化方法を示す図である。
【図１２】図１１に示した工程のあとの工程を示す図である。
【図１３】図１２に示した工程のあとの工程を示す図である。
【図１４】本発明の一実施形態に係る敷設体の使用状態について一部を切断して示す正面図である。
【図１５】本発明の一実施形態に係る敷設体の使用状態について一部を切断して示す正面図である。
【図１６】本発明のもう一つの実施形態に係る植栽用構造体の斜視図である。
【図１７】図１６の植栽用構造体を分解して本体部材の内部構造を示す斜視図である。
【図１８】図１７の第１の本体部材について別の方向から見た平面図である。
【図１９】図１７の第２の本体部材の平面図である。
【図２０】図１６の植栽用構造体を構成する防護部材の斜視図である。
【図２１】図１６の植栽用構造体の平面図である。
【図２２】図２１の２２−２２線に沿った断面図である。
【図２３】図２１の２３−２３線に沿った断面図である。
【図２４】図２１の２４−２４線に沿った断面図である。
【図２５】図２４の一部を拡大して示す断面図である。
【図２６】本発明のもう一つの実施形態に係る敷設体の斜視図である。
【図２７】図２６の敷設体の正面断面図である。
【図２８】本発明のもう一つの実施形態に係る緑化方法を示す図である。
【図２９】図２８に示した工程のあとの状態を示す図である。
【図３０】図２９に示した状態を示す平面図である。
【図３１】図２９及び図３０に示した工程のあとの工程を示す図である。
【図３２】図３１に示した工程のあとの工程を示す図である。
【図３３】本発明のもう一つの実施形態に係る敷設体の使用状態について一部を切断して示す正面図である。
【図３４】本発明のもう一つの実施形態に係る敷設体の使用状態について一部を切断して示す正面図である。
【図３５】本発明の更にもう一つの実施形態に係る緑化方法を示す図である。
【図３６】本発明の緑化方法に用いられる防護部材について別の実施形態を示す斜視図である。
【図３７】図３６の防護部材の平面図である。
【図３８】本発明の更にもう一つの実施形態に係る植栽用構造体の斜視図である。
【図３９】図３８の敷設体の正面断面図である。
【発明を実施するための形態】
【００４９】
図１は本発明の一実施形態に係る植栽用構造体の斜視図、図２は図１の植栽用構造体を分解して内部構造を示す斜視図、図３は図２の本体部材について別の方向から見た斜視図である。また、図４は図１の植栽用構造体の平面図、図５は図４の５−５線に沿った断面図、図６は図４の６−６線に沿った断面図、図７は図６の一部を拡大して示す断面図、図８は図４の一部を拡大して示す平面図である。
【００５０】
図１の植栽用構造体は、植物材と組み合わされて敷設体を構成し、歩行者の踏圧や、自動車の上載荷重、回転するタイヤから受ける摩擦などの外力から植物材を保護するために用いられる。
【００５１】
[本体部材１０]
まず、図１乃至図８の植栽用構造体を構成する本体部材１０について説明する。本体部材１０は、有底箱状であって、好ましくはポリエチレン（ＰＥ）、ポリプロピレン（ＰＰ）、塩化ビニル樹脂（ＰＶＣ）等の熱可塑性樹脂材料を主成分とする成型体である。さらに、本体部材１０は、内部空間１０１と、第１の基板部１１と、第１の開口部１２と、第２の開口部１３と、柱部１４と、側壁部１５とを有している。
【００５２】
第１の基板部１１は、有底箱形状の底部分であって、長手方向Ｌで向かい合う短辺と、長手方向Ｌに直交する幅方向Ｗに向かい合う長辺とを有し、平面からみて長方形形状となっている。第１の基板部１１は、板厚方向（高さ方向）Ｔに一面１１１と、他面１１２とが向い合っている。
【００５３】
第１の開口部１２は、有底箱形状の開口部分であって、他面１１２と高さ方向Ｔに向い合っている。
【００５４】
第２の開口部１３は、第１の基板部１１において略正方形形状に開口し、高さ方向Ｔに沿って、一面１１１から他面１１２に貫通している。第２の開口部１３は、複数であって、第１の基板部１１の板面において、長手方向Ｌ、及び、幅方向Ｗに沿ってマトリックス状に配置されている。
第１の基板部１１の一面１１１において、第２の開口部１３が設けられていない部分１１４は、長手方向Ｌ、及び、幅方向Ｗに沿って交差し、格子状、又は、リブ状になっている。さらに、第１の基板部１１は、第２の開口部１３が設けられていない部分１１４の交点に突出部１１３を有している。
【００５５】
柱部１４は、他面１１２から高さ方向Ｔに向かうに従って、徐々に先細りとなる形状であって、好ましくは先端部分に平らな先端面１４１を有する截頭多角錐形状である。先端面１４１は、外力を支持する面（踏み面）となる。
【００５６】
柱部１４は、先端部分の周面１４０に、高さ方向Ｔに沿って伸びる４つのリブを有している。４つのリブは、周面１４０において、互いに直交する関係で十字状に等配されており、高さ方向Ｔに沿って伸びている。先端面１４１は、柱部本体の先端面と、柱部本体の先端面から径方向に突出するリブの先端面とにより、平面からみて歯車様の面形状となっている。
【００５７】
複数の柱部１４は、他面１１２にマトリックス状に突設されている。柱部１４は、他面１１２において、第２の開口部１３の設けられている部分を避けて突設されており、好ましくは格子状の交点において、他面１１２に対して垂直に立ち上がっている。柱部１４は、機械的強度の確保、及び、製造コストの効率化の観点から、第１の基板部１１と一体的に成形されることが好ましい。
【００５８】
柱部１４は、好ましくは同一の高さ寸法（突出寸法）Ｔ１４を有している。図１乃至図８の柱部１４は、先端面１４１が第１の開口部１２から外部に突出している。
【００５９】
側壁部１５は、他面１１２の周縁から、高さ方向Ｔに立ち上がり、立ち上がり端が第１の開口部１２の開口端縁を形成している。側壁部１５は、他面１１２の端縁部分において隣接する柱部１４の間を塞ぐように配置され、全体として有底箱形状の側壁部分を構成している。側壁部１５は、機械的強度の確保、及び、製造コストの効率化の観点から、第１の基板部１１と一体的に成形されることが好ましい。
【００６０】
内部空間１０１は、第１の基板部１１の他面１１２と、側壁部１５の内面とによって画定され、第１の開口部１２と、第２の開口部１３とによって外部に通じている。
【００６１】
本体部材１０は、雄形連結部１６と、雌形連結部１７とを有する。雄形連結部１６は、側壁部１５の外面から長手方向Ｌまたは幅方向Ｗに向かって、Ｖ字状に広がる突出形状を有し、側壁部１５の外面を高さ方向Ｔに沿って伸びている。他方、雌形連結部１７は、雄形連結部１６に凹凸嵌合可能な凹形状を有し、側壁部１５の外面を高さ方向Ｔに沿って伸びている。
【００６２】
[防護部材３０]
次に、図１乃至図８の植栽用構造体を構成する防護部材３０について説明する。防護部材３０は、面内に複数の貫通孔３３を有し、第１の開口部１２を覆っている。より具体的に説明すると、防護部材３０は、網目状であって、素材的強度、耐摩耗性、防錆性、耐候性等の耐久性を確保する観点からステンレス、アルミ等の金属材料を主成分としている。防護部材３０としては、好ましくはパンチングメタル、より好ましくはエキスパンドメタルを用いることができる。
【００６３】
本明細書において、パンチングメタルとは、金属材料を主成分とする板材をプレスによって孔開け加工したものをいい、エキスパンドメタルとは、金属材料を主成分とする板材に切れ目を入れ、引き伸ばして網目状に加工したものをいう。これらは市販品の中から適したものを適宜選択して使用することが好ましい。
【００６４】
防護部材３０は、金属材料を基材とし、基材表面がポリエチレン（ＰＥ）、ポリプロピレン（ＰＰ）、塩化ビニル樹脂（ＰＶＣ）等の熱可塑性樹脂材料で被覆されたものを使用することもできる。この構成によると、耐久性を向上させることができる。また、エキスパンドメタルの各網目の開口端縁の角が熱可塑性樹脂材料で被覆され、幼児などが指を差し入れたとしても、開口端縁の角で切り傷を負う危険を回避しうる。
【００６５】
さらに、防護部材３０は、ポリエチレン（ＰＥ）、ポリプロピレン（ＰＰ）、塩化ビニル樹脂（ＰＶＣ）等の熱可塑性樹脂材料を主成分として構成することもできる。防護部材３０が上述した熱可塑性樹脂材料を主成分として構成されている場合、耐久性を確保する観点から、３重量％を上限として炭素繊維やガラス繊維などの強化材を含むものを使用することができる。
【００６６】
貫通孔３３は、一面３１から他面３２に貫通しており、婦人靴の踵部の先端が通過不能な開孔形状、及び、差し渡し寸法を有している。図１乃至図８の貫通孔３３は、最小差し渡し孔径Ｄ３３が１０ｍｍ以下である。最小差し渡し孔径Ｄ３３は、貫通孔３３の内寸法の最小値であり、違う言葉で表現すれば、貫通孔３３の開口端縁において向かい合う２点間、又は、２辺間に現れる差し渡し寸法のうち、最小となる差し渡し寸法をいう。例えば、防護部材３０がエキスパンドメタルであって、各網目を構成する貫通孔３３の開口端縁がひし形形状である場合、少なくとも長目方向に交差する短目方向の中心間距離が１０ｍｍ以下であれば、婦人靴の踵部先端の通過を阻止できる。
【００６７】
防護部材３０を構成するエキスパンドメタルには、各網目を構成する貫通孔３３の開口端縁が六角形形状となるものを用いることができる。貫通孔３３の開口端縁が六角形形状の場合、最小差し渡し孔径（D３３）は、向かい合う２辺間に現れる。
【００６８】
[柱部１４と、防護部材３０との結合構造]
防護部材３０は、第１の開口部１２を覆った状態で、柱部１４の先端部分によって支持されている。柱部１４と、防護部材３０との結合構造について、図４及び図８を参照して説明する。
【００６９】
防護部材３０は、他面３２が、他面１１２と向かい合わせに配置されている。柱部１４は、先端部分の周面１４０に径寸法減少部１４２を有している。柱部１４の先端部分は、径寸法減少部１４２を境として径寸法が段階的に減少しており、減少している部分が凹段面１４３となっている。凹段面１４３は、好ましくは、先端面１４１と平行する。
【００７０】
防護部材３０は、面内に第３の開口部３４を複数有している。第３の開口部３４の開口端縁は、凹段面１４３に適合する形状を有している。防護部材３０は、第３の開口部３４が、先端面１４１と向かい合う関係で配置され、柱部１４の先端部分が第３の開口部３４に案内され、第３の開口部３４の開口端縁が凹段面１４３に掛け止められる。柱部１４と、防護部材３０との掛止構造は、着脱自在であってもよいし、例えば、接着剤や熱溶着、結束具など用いることにより、両者が着脱不能に掛止られていてもよい。
【００７１】
図４乃至図８の防護部材３０は、第１の開口部１２の内部に配置され、配置された状態で、防護部材３０の一面３１が、柱部１４の先端面１４１より低く、更に第１の開口部１２の開口端縁より低い位置にある。防護部材３０の一面３１と、柱部１４の先端面１４１との間には、高低差が生じており、この高低差に応じた空間ｇ１が形成されている。
【００７２】
第１の基体部１１と、防護部材３０との相対向面間の空間ｇ２は、本体部材１０と防護部材３０との結合関係により一定に規制され、具体的には径寸法減少部１４２の高さ位置Ｔ１４２に応じて一定に規制されている。そして、空間ｇ２により本体部材１０と防護部材３０との相対向面間に形成される空間的な広がりが、植物材を収納するための内部空間１０１として用いられる。従って、径寸法減少部１４２は、防護部材３０の支持機能を有するとともに、空間ｇ２を規制する機能を有することにより、植物材を収納するための内部空間１０１の容積を決定している。
【００７３】
また、防護部材３０は、柱部１４の先端面１４１より被冠され、柱部１４の凹段面１４３に係合して所定位置に保持され、しかもステンレスやアルミ等の金属材料から構成されているために、特定の柱部１４に何らかの原因により、設計荷重以上の曲げ荷重やせん断荷重が加わったとしても、敷設体内の柱部１４全体に荷重を分散することが可能になり、結果的に柱部１４の強度を高める効果を有する。
【００７４】
図９は本発明の一実施形態に係る敷設体の斜視図、図１０は図９の敷設体の正面断面図である。図９及び図１０において、図１乃至図８に示した構成部分と同一の構成部分には、同一の参照符号を付す。
【００７５】
[敷設体]
図９及び図１０の敷設体は、図１乃至図８を参照して説明した植栽用構造体１と、植物材４１、４２と、客土５１と、スペーサ５２と、不織布５３とを含む。
【００７６】
植物材４１、４２は、シート状またはマット状であって、周知の芝生マットを用いることができる。なお、植物材４１、４２を構成する植物は、典型的には芝草であるが、必ずしも芝草に限られず、芝草に類する低背性の植物や、いわゆる苔などであってもよい。
【００７７】
植物材４１、４２は、第１の開口部１２から葉先を露出可能な向きで、植栽用構造体１の内部空間（１０１）に収納され、内部空間（１０１）に収納された状態で、植物材４１、４２の表面が防護部材３０によって覆われている。
【００７８】
植物材４１、４２が所謂芝生マットである場合、芝生マットは、全国でほぼ共通の流通規格として長方形形状となっており、長手寸法３６０ｍｍ、幅寸法３００ｍｍのものと、長手寸法３５０ｍｍ、幅寸法２５０ｍｍのものとがある。具体的に図９を参照すると、植栽用構造体１の幅寸法Ｗ１を予め植物材４１、４２の長手寸法Ｌ４に一致（例えば、３５０ｍｍ）させ、植栽用構造体１の長手寸法Ｌ１を植物材４１、４２の幅寸法Ｗ４の２倍（例えば、５００ｍｍ）とすることにより、２つの植物材４１、４２を一組として一体的に保持することができる。
【００７９】
客土５１は、植物材４１、４２の根を安定して根付かせる目的で内部空間（１０１）に充填される培養土である。
【００８０】
スペーサ５２は、透水性、及び、弾力性を有する多孔質構造（スポンジ構造）のウレタン樹脂を薄板状、シート状、又は、マット状に成形したものであって、客土５１と、不織布５３との間に配置されている。スペーサ５２は、客土５１の体積が湿度や気温によって膨張、収縮を繰り返すことを想定し、その膨張、収縮によって客土５１と、不織布５３との間に隙間が生じる不具合を回避するため、底上げに用いられるものである。
【００８１】
不織布５３は、第１の基板部１１の他面１１２と、スペーサ５２との間に配置されており、余分な雨水等を第２の開口部１３を通じて内部空間（１０１）から排出する際や、敷設体を持ち運びする際などに、客土５１が第２の開口部１３から不正漏出する不具合を防止する。なお、スペーサ５２が透水性を有する場合、スペーサ５２の厚み寸法を調節することにより、不織布５３を省略することもできる。
柱部１４は、植物材４１、４２が植物材を収納するための内部空間（１０１）された状態で、不織布５３と、スペーサ５２と、客土５１と、植物材４１、４２とを上述した順序で高さ方向Ｔに貫通し、柱部１４の先端部分が植物材４１、４２の表面上に露出している。
【００８２】
図１１乃至図１３は、本発明の一実施形態に係る緑化方法を示す図である。図１１乃至図１３において、図１乃至図１０に示した構成部分と同一の構成部分には、同一の参照符号を付す。
【００８３】
[敷設体の組立方法および緑化方法]
図９及び図１０に示した敷設体の利点について、組み立て方法の観点から説明する。まず、図１１に示す工程を参照すると、本体部材１０を、第１の開口部１２が上になるように工作台や地表面上に配置し、本体部材１０の内部空間（１０１）に対して、不織布５３と、スペーサ５２と、客土５１とを上述した順序で投入し、さらに植物材４１、４２を、第１の開口部１２から葉先を露出可能な向きで内部空間（１０１）に案内し、柱部１４を植物材４１、４２の高さ方向Ｔに貫通させる。複数の柱部１４のそれぞれは先細り形状となっており、植物材４１、４２を容易に貫通する。柱部１４は、不織布５３と、スペーサ５２と、客土５１、植物材４１、４２を高さ方向Ｔに貫通し、植物材４１、４２の表面上に先端面１４１が露出する。これにより、植物材４１、４２が本体部材１０に固定される。
【００８４】
図１２の工程は、図１１に示した工程のあとの工程であって、防護部材３０を第１の開口部１２に配置し、柱部１４の先端部分を第３の開口部３４に挿通させることにより、第３の開口部３４の開口端縁が凹段面１４３によって支持される。防護部材３０は、第１の開口部１２の内部に配置された状態で、防護部材３０の一面３１が、柱部１４の先端面１４１より低い位置にあり、より好ましくは第１の開口部１２の開口端縁より低い位置に載置される。植物材４１、４２は、植物（例えば芝草）の育成段階に応じて、葉先が第１の開口部１２、及び、貫通孔３３を通じて外部に導き出される。
【００８５】
図１３の工程は、図１２に示した工程のあとの工程であって、図１１〜図１２を参照して説明した敷設体の組み立て方法により、好ましくは組立工場などで施工対象領域Ｓ２に対して必要枚数分の敷設体１００ａ〜ｄを製造した後、施工現場へ搬送し、敷設体１００ａ〜ｄを施工対象領域Ｓ２に沿って、縦横に連続配置する。図１３の工程では、隣接する敷設体１００ｂ、ｃの雄形連結部１６および雌形連結部１７に対して、敷設体１００ｄを位置決めし、雄形連結部１６および雌形連結部１７を高さ方向Ｔから落とし込むなどして、敷設体１００ａ〜ｄ相互に結合させる。
【００８６】
[図１乃至図１３の植栽用構造体、敷設体、敷設体を用いた緑化方法の効果]
図１乃至図８を参照して説明した植栽用構造体の構造、図９及び図１０を参照して説明した敷設体の構造、及び、図１１乃至図１３を参照して説明した緑化方法によると、以下の効果を奏することができる。
【００８７】
植栽用構造体１は、有底箱状の本体部材１０を有しているから、第１の開口部１２を通じて内部空間１０１に植物材４１、４２を収納することができる。従って、敷設体（１００ａ〜ｄ）は、植物材４１、４２を植栽用構造体１に収納した状態で一体に持ち運ぶことが可能となる。しかも、植栽用構造体１の側面は、側壁部１５で覆われているから、内部空間１０１内の土砂などが外部に不正漏出することはなく、製造工場から施工現場までの敷設体１００の運搬作業、施工現場における敷設作業が容易になる。
【００８８】
また、植栽用構造体１の側面は、側壁部１５で覆われているから、植栽用構造体１を縦横に連結して配置したとしても、隣接する植栽用構造体１内の植物材４１、４２の根の行き来が側壁部１５によって阻害される。従って、例えば敷設工事から長期間経過した後で、植栽用構造体１内部の芝が枯死した等の理由で、一部の植栽用構造体１を交換する場合に、芝の根を傷つけることなく、容易に並べ替えを行うことができる。さらに、施工後においても敷設体（１００ａ〜ｄ）の並べ替えが自在であるから、現場作業工程数を削減し、工期の効率化、施工コストの低減が図られる。
【００８９】
植物材４１、４２は、第１の開口部１２から葉先を露出可能な向きで、内部空間１０１に収納されているから、第１の開口部１２を通じて植物材４１、４２の葉先を外部に露出することで、緑化された景観が演出される。
【００９０】
植物材４１、４２の表面には、柱部１４の先端部分が露出している。この構成によると、柱部１４の先端面１４１と、植物材４１、４２の表面との間に、高低差に応じた空間ｇ１が確保される。従って、歩行者の踏圧や、自動車の上載荷重、回転するタイヤから受ける摩擦などの外力（Ｆ１、Ｆ２）を先端面１４１で支持し、植物材４１、４２の表面を外力から保護することができる。具体的に、図１４に示すように、柱部１４の先端面１４１に自動車のタイヤ６が接触したとしても、タイヤ６と、植物材４１、４２との間には空間ｇ１が確保される。その結果、植物材４１、４２の表面が自動車の上載荷重によって押し固められてしまう問題は生じない。
【００９１】
また、複数の柱部１４は、植物材４１、４２の表面において、マトリックス状に分散配置され、複数の先端面１４１が一体的な踏み面Ｓ１を構成しているから、タイヤ６の回転力Ｆ２、違う言葉で表現すれば、回転するタイヤ６と柱部１４との接触面において接線方向に生じる摩擦力Ｆ２が、先端面１４１、及び、踏み面Ｓ１によって受けられ、植物材４１、４２の表面を摩擦力Ｆ２から確実に保護することができる。
【００９２】
防護部材３０の一面３１と、柱部１４の先端面１４１との間には、空間ｇ１が形成されているから、貫通孔３３から外部に露出する植物材４１、４２の葉先が、摩擦力Ｆ２を受けたときに、貫通孔３３の開口端縁に挟まれて刈り取られてしまう不都合は生じない。従って、敷設体１００の一面に常に植物材４１、４２の葉先が露出している状態を保ち、緑化された景観を演出することができる。
【００９３】
また、図１５に示すように、柱部１４の先端面１４１に歩行者の靴裏７０が接触したとしても、靴裏７０と、植物材４１、４２の表面との間に空間ｇ１があり、歩行者の踏圧によって植物材４１、４２の表面が押し固められてしまう問題は生じない。
【００９４】
柱部１４は、第１の基板部１１と一体的に成形されているから、外力（Ｆ１、Ｆ２）に対して優れた機械的強度を有している。さらに、複数の柱部１４がマトリックス状に突設されているから、外力（Ｆ１、Ｆ２）を各先端面１４１で分散して支持することができる。従って、植物材を、外力（Ｆ１、Ｆ２）から確実に保護することができる。
【００９５】
複数の柱部１４は、マトリックス状に突設されているから、植物材４１、４２の根は柱部１４を避けて内部空間１０１を自由に育成し、雨水等は柱部１４を避けて内部空間１０１を自由に移動する。従って、敷設体１００を敷設した後の植物材の育成コスト、維持管理コストを低減することができる。
【００９６】
本発明に係る緑化方法は、上述した植栽用構造体１、及び、敷設体１００の基本的機能に加え、婦人靴の踵部対策として、防護部材３０を有する点に特徴の一つがある。即ち、防護部材３０は、面内に複数の貫通孔３３を有し、第１の開口部１２を覆い、第１の開口部１２を覆った状態で、柱部１４の先端部分によって支持されている。この構造によると、貫通孔３３を通じて植物材４１、４２の葉先を外部に露出し、緑化された景観を演出することができる。
【００９７】
防護部材３０は、柱部１４の先端部分が第３の開口部３４に案内され、第３の開口部３４の開口端縁が凹段面１４３に掛け止められる。第１の基板部１１と防護部材３０との空間ｇ２は、径寸法減少部１４２の高さ位置Ｔ１４２に応じて規制されるから、高さ位置Ｔ１４２を予め調節することにより、様々な厚み寸法を有する植物材４１、４２を、第１の基板部１１と防護部材３０との間で一体的に挟持することが可能となる。従って、植物材４１、４２として、市販の芝生マットを直接使用することができる。
【００９８】
防護部材３０の貫通孔３３は、婦人靴の踵部の先端が通過不能な開孔形状、及び、差し渡し寸法を有し、好ましくは最小差し渡し孔径Ｄ３３が１０ｍｍ以下である。通常、婦人靴の踵部７１の先端部の直径は１０ｍｍよりも大きいから、歩行者が、パンプスやハイヒールなど細長い踵部７１を有する婦人靴を履いて敷設体１００上を歩いた場合でも、踵部７１が植栽用構造体１の内部に没入する不具合は回避される。仮に、図１５の実施形態において、防護部材３０がないとすると、踵部７１は、植物材４１、４２を貫通し、さらに客土５１、スペーサ５２、不織布５３を貫通して地表面８にまで達する。すなわち、芝生上を直接ハイヒールで歩いた場合よりも、植栽用構造体１の高さ寸法分だけ踵部７１の没入距離が拡大され、踵部７１の没入距離が拡大された分だけ、大きくバランスを崩し、思わぬ転倒事故が生じる。
【００９９】
これに対し、本願発明では、防護部材３０によって第１の開口部１２を覆うことにより、歩行者の靴裏７０が柱部１４の先端面１４１に支持された状態で、踵部７１の先端部の没入距離が防護部材３０の一面（３１）までで止められる。従って、植物材４１、４２を婦人靴の踵部７１から保護するとともに、踵部７１が植栽用構造体１の内部に没入することにより生じる転倒事故を未然に防止し、歩行者の安全を確保することができる。
さらに、防護部材３０は、柱部１４の先端面より被冠されて、柱部１４に係合して所定位置に保持され、しかもステンレスやアルミ等の金属材料から構成されているために、特定の柱部１４に何らかの原因により、設計荷重以上の曲げ荷重やせん断荷重が加わったとしても、敷設体内の柱部１４全体に荷重を分散することが可能になり、結果的に敷設体の柱部１４の強度を高めることができる。
【０１００】
図１乃至図１３を参照して説明した植栽用構造体１、及び、これを用いた敷設体１００とは異なり、従来の芝生マットに串を打ち込んで地表面に固定する工法（特許文献１参照）では、芝生マットの表面に対して何ら保護機能を有していないから、自動車の上載荷重Ｆ１や、摩擦力Ｆ２によって芝生が損傷するという駐車場の芝生化に特有の問題を解決することができない。また、広大な敷地表面積となる駐車場に対する施工を想定した場合、巻き芝の配置作業や、串打ち作業など現場作業工程数が多くなり、工期の長期化、施工コスト高を招く。
【０１０１】
また、踏圧抵抗突起を設けた格子状の樹脂製の植物生育保護盤（特許文献２参照）では、トラックなどの大型車両の大荷重に耐えうるだけの機械的強度が確保されていないうえ、植物生育保護盤を配列する工程に先立って、施工面たる地表面に芝生を育成する工程、もしくは、芝生マットを地表面に敷設する工程が必要となるから、現場作業工程数が多くなり、工期の長期化、施工コスト高を招く。
【０１０２】
さらに、多数の筒をネット状に連結することで各筒の内部に土と芝生を収納する芝生収納部を設けてなる芝生保護パレット（特許文献３参照）では、芝生マットを細切れに切断して、各セルに配置する作業が面倒である。特に、広大な敷地表面積となる駐車場に対する施工を想定した場合、コスト高となる。
【０１０３】
図１６は本発明のもう一つの実施形態に係る植栽用構造体の斜視図である。また、図１７は図１６の植栽用構造体を分解して本体部材の内部構造を示す斜視図、図１８は図１７の第１の本体部材について別の方向から見た平面図、図１９は図１７の第２の本体部材の平面図である。さらに、図２０は、図１６の植栽用構造体を構成する防護部材の斜視図である。
【０１０４】
図１６の植栽用構造体は、本発明に係る緑化方法において、植物材と組み合わされて敷設体を構成し、歩行者の踏圧や、自動車の上載荷重、回転するタイヤから受ける摩擦などの外力から植物材を保護するために用いられる。
図１６乃至図２０を参照すると、植栽用構造体は、本体部材（１０、２０）と、防護部材３０とを含む。図１６乃至図２０に示した植栽用構造体の本体部材は、図１乃至図８を参照して説明した本体部材１０を、第１の本体部材（１０）とし、この第１の本体部材１０を上下反転して、第２の本体部材２０と組み合わせることにより構成している点に特徴の一つがある。
【０１０５】
[第１の本体部材１０]
まず、図１６乃至図２０の植栽用構造体を構成する第１の本体部材１０について、図１乃至図８の本体部材１０との相違点を中心に説明する。第１の本体部材１０は、有底箱状であって、内部空間１０１と、第１の基板部１１と、第１の開口部１２と、第２の開口部１３と、柱部１４と、側壁部１５とを有している。
【０１０６】
第１の基板部１１は、有底箱形状の蓋面部分である。第１の基板部１１は、一面１１１において、第２の開口部１３が設けられていない部分１１４に突出部１１３を有している。突出部１１３は、複数が一体的な踏み面（Ｓ１）を構成し、歩行者の踏圧や、自動車の上載荷重、回転するタイヤから受ける摩擦などの外力を支持する。
【０１０７】
図１８を参照すると、複数の柱部１４には、結合機能を有する柱部１４が混在していることが分かる。結合機能を有する柱部１４は、先端面１４１の面内に軸部（１４４）が突設されており、軸部（１４４）は先端に略球状の膨張部１４５を有している。図１８において膨張部１４５は、第１の開口部１２の開口端縁と相似形となる配置で一点鎖線Ｓ１４５にそって長方形形状に配列されている。もっとも、結合機能を有する柱部１４は、必要とされる結合強度に応じて増減させ、又は、配置を適宜変更することができる。
【０１０８】
[第２の本体部材２０]
次に、第２の本体部材２０について、図１６乃至図２０を参照して説明する。第２の本体部材２０は、平板状であって、ポリエチレン（ＰＥ）、ポリプロピレン（ＰＰ）、塩化ビニル樹脂（ＰＶＣ）等の熱可塑性樹脂材料を主成分とする成型体である。第２の本体部材２０は、第２の基板部２１と、複数の排水部２２と、複数の嵌合用凹部２３とを有している。
【０１０９】
第２の基板部２１は、植栽用構造体の底部分であって、高さ方向Ｔに一面２１１と、他面２１２とが向い合っている。
【０１１０】
排水部２２は、いわゆる有底孔であって、一面２１１に略正方形形状の開孔端縁を有しており、高さ方向Ｔに沿って、一面２１１から他面２１２に落ち込んでいる。複数の排水部２２は、一面２１１において、長手方向Ｌ、及び、幅方向Ｗにマトリックス状に整列配置され、排水部２２が設けられていない部分が、長手方向Ｌ、及び、幅方向Ｗに沿って交差し、格子状、又は、リブ状になっている。排水部２２は、第２の開口部１３に向かい合う位置に形成されている。
【０１１１】
排水部２２は、内部空間１０１に植物材が収納された場合に、植物材を通して染み込んでくる雨水などを一時的に貯留する空間として用いられる。なお、排水部２２は、高さ方向Ｔに沿って貫通する貫通構造であってもよい。排水部２２が、貫通構造である場合、不要な雨水などを地表面に排出し、芝草の根ぐされ等を防止する通水孔として用いられる。
【０１１２】
嵌合用凹部２３は、いわゆる有底孔であって、一面２１１に配置されている。嵌合用凹部２３は、排水部２２の設けられている部分を避け、排水部２２によって板面に形成されている格子状部分が交差する部分の交点に配置されている。図１９に示す嵌合用凹部２３は、有底構造であるが、貫通構造であってもよい。
【０１１３】
嵌合用凹部２３は、内部底面２３０と、内側面２３１と、嵌合穴２３２とを有している。嵌合用凹部２３は、柱部１４と組み合わされて凹凸嵌合に用いられる構成要素であって、柱部１４と向かい合う位置に形成されている。内側面２３１は、内部底面２３０から立ち上がり、内部底面２３０とともに、柱部１４の挿入空間を画定している。嵌合穴２３２は、内部底面２３０に開口し、第２の本体部材２０を高さ方向Ｔに貫通している。
【０１１４】
嵌合用凹部２３の内部底面２３０は、柱部１４の先端面１４１に適合する形状を有し、内側面２３１は、柱部１４の周面１４０に適合する形状を有している。嵌合用凹部２３は、第２の基板部２１の一面２１１にマトリックス状に配置され、柱部１４の先端面１４１と向かい合う関係で配置されている。嵌合用凹部２３の配置数、及び、配置態様は、柱部１４の配置数、及び、配置態様に対応している。
【０１１５】
内部空間１０１は、第１の基板部１１の他面１１２と、側壁部１５の内面、及び、第２の基板部２１の一面２１１とによって画定され、第２の開口部１３によって外部に通じている。
【０１１６】
[防護部材３０]
図１６の植栽用構造体において、第２の開口部１３には、図２０の防護部材３０がはめ込まれている。図２０の防護部材３０は、好ましくはエキスパンドメタルであって、面内に複数の貫通孔３３を有し、第２の開口部１３を覆っている。防護部材３０は、踏み面部３５と、第１、第２の脚部３６、３７とを有し、好ましくは断面コ字状となっている。
また、防護部材３０の形状をコ字状の形状として、踏み面部３５と第１の脚部３６のなす角、及び、踏み面部３５と第２の脚部３７のなす角度は、ともに直角より僅かに大きくすることが望ましい。防護部材３０の形状を、上述した形状にすることにより、第１の本体部材１０の柱部１４の周りに４個の防護部材３０で囲うように配設して、敷設体中を埋め尽くすことができるので、第１の本体部材１０の柱部１４の強度を高めることができ、結果的に敷設体全体の剛性を高めることが可能になる。
踏み面部３５は、第２の開口部１３に適合する平面形状を有する。踏み面部３５は、長手方向Ｌに向かい合う両辺を有し、第１、第２の脚部３６、３７は、踏み面部３５の向かい合う両辺から垂下している。貫通孔３３は、少なくとも踏み面部３５を一面２１１から他面２１２に貫通している。
【０１１７】
図２１は図１６の植栽用構造体の平面図、図２２は図２１の２２−２２線に沿った断面図、図２３は図２１の２３−２３線に沿った断面図、図２４は図２１の２４−２４線に沿った断面図であり、さらに図２５は図２４の一部を拡大して示す断面図である。図２１乃至図２５において、図１６乃至図２０に示した構成部分と同一の構成部分には、同一の参照符号を付す。
【０１１８】
図１６乃至図２０の植栽用構造体について、さらに図２１乃至図２５を参照し、植栽用構造体を構成する本体部材の内部構造、及び、防護部材３０の結合構造を説明する。
【０１１９】
[本体部材の内部構造]
まず、本体部材の内部構造について、図２１乃至図２３を参照すると、第１の本体部材１０と、第２の本体部材２０とは、第１の基板部１１の他面１１２と、第２の基板部２１の一面２１１とが向かい合わせに配置され、柱部１４の先端部分が嵌合用凹部２３に嵌合され、先端面１４１が内部底面２３０に突き当たり、周面１４０が内側面２３１によって押さえられている。
【０１２０】
柱部１４は、先端面１４１が嵌合用凹部２３に対して結合され、周面１４０が内側面２３１によって押さえられていることにより、第１の本体部材１０の水平方向への不正移動が規制され、第１の本体部材１０が第２の本体部材２０へ固定される。
内部底面２３０は、先端面１４１の面形状に適合する形状を有している。柱部１４は、先端面１４１が内部底面２３０に対して突き当たることにより、第１の本体部材１０を第２の本体部材２０上に支持する。
【０１２１】
さらに、図２４乃至図２５を参照すると、結合機能を有する柱部１４は、軸部１４４が嵌合穴２３２に圧入され、好ましくは、第２の本体部材２０の他面２１２の側で膨張部１４５を熱処理して変形させることにより、第１、第２の本体部材１０、２０を着脱不能に結合することができる。
【０１２２】
上述した第１、第２の本体部材１０、２０の結合関係により、植栽用構造体は、第１の本体部材１０の他面１１２と、第２の本体部材２０の一面２１１との相対向面間が、柱部１４の突出寸法（Ｔ１４）に応じて、空間ｇ２が一定に規制されており、この空間ｇ２により第１、第２の基板部１１、２１の相対向面間に形成される空間的な広がりが、植物材を収納するための内部空間１０１として用いられる。即ち、柱部１４は、支持機能、及び、嵌合機能を有するとともに、空間ｇ２を規制する機能を有することにより、内部空間１０１の容積を決定している。
【０１２３】
[防護部材３０の結合構造]
次に、防護部材３０の結合構造について、図２１乃至図２３を参照すると、防護部材３０は、第２の開口部１３に取り付けられている。防護部材３０は、第２の開口部１３内において、第２の開口部１３の開口端縁よりも低い位置に踏み面部３５が配置され、配置された状態で、踏み面部３５が第２の開口部１３を覆っており、且、第１、第２の脚部３６、３７が第２の基板部２１の一面２１１に突き当たっている。この構造によると、第２の本体部材２０の一面２１１と、防護部材３０の踏み面部３５との相対向面間が、第１、第２の脚部３６、３７の長さに応じて、一定の空間に規制され、この空間により第２の本体部材２０と、防護部材３０との相対向面間に形成される空間的な広がりが、植物材を収納するための内部空間１０１として用いられる。即ち、第１、第２の脚部３６、３７は踏み面部３５に加えられる外力を支持する機能を有するとともに、植物材を収納するための内部空間１０１の容積を決定している。
【０１２４】
図２６は本発明のもう一つの実施形態に係る敷設体１００の斜視図、図２７は図２６の敷設体の正面断面図である。図２６及び図２７において、図１６乃至図２５に示した構成部分と同一の構成部分には、同一の参照符号を付す。
【０１２５】
[敷設体]
図２６及び図２７の敷設体は、図１６乃至図２５を参照して説明した植栽用構造体１と、植物材４１、４２と、客土５１と、スペーサ５２と、不織布５３とを含む。
【０１２６】
植物材４１、４２は、第２の開口部１３から葉先を露出可能な向きで、植栽用構造体１の内部空間（１０１）に収納され、内部空間（１０１）に収納された状態で、植物材４１、４２の表面が防護部材３０によって覆われている。
【０１２７】
不織布５３は、第１の基板部１１の他面１１２と、スペーサ５２との間に配置されており、余分な雨水等を第２の開口部１３を通じて内部空間（１０１）から排出する際や、敷設体を持ち運びする際などに、客土５１が不正漏出する不具合が防止される。
【０１２８】
柱部１４は、植物材４１、４２が植物材を収納するための内部空間（１０１）された状態で、植物材４１、４２と、客土５１と、スペーサ５２と、不織布５３とを上述した順序で高さ方向Ｔに貫通し、先端部分が嵌合用凹部２３に勘合されている。
【０１２９】
図２８乃至図３２は、本発明のもう一つの実施形態に係る緑化方法を示す図である。図２８及び図３２において、図１６乃至図２７に示した構成部分と同一の構成部分には、同一の参照符号を付す。
【０１３０】
[敷設体の組立方法および緑化方法]
まず、図２８を参照すると、第１の本体部材１０を、一面１１２が下になるように工作台や地表面上に配置し、さらに他面１１２に対して、植物材４１、４２を上下反転して、第２の開口部１３から葉先を露出可能な向きに案内し、柱部１４を植物材４１、４２の高さ方向Ｔに貫通させる。複数の柱部１４のそれぞれは先細り形状となっており、植物材４１、４２を容易に貫通する。第２の開口部１３には、予め防護部材３０が取り付けられ、第２の開口部１３が防護部材３０により覆われる。
【０１３１】
図２９及び図３０を参照すると、柱部１４は、植物材４１、４２を高さ方向Ｔに貫通し、植物材４１、４２の根面側に先端面１４１が露出することにより、植物材４１、４２が第１の本体部材１０に固定される。植物材４１、４２は、植物（例えば芝草）の育成段階に応じて、葉先が第２の開口部１３、及び、防護部材３０の貫通孔３３を通じて他面（３２）から一面（３１）に導き出される。
【０１３２】
図３１の工程は、図２９及び図３０に示した工程のあとの工程であって、植物材４１、４２の根面上に客土５１を投入し、さらに好ましくはスペーサ５２、及び、不織布５３で、客土５１の一面を覆った状態で、第２の本体部材２０により挟持する。客土５１の投入量や、スペーサ５２、及び、不織布５３の厚み寸法は、柱部１４の突出寸法（Ｔ１４）の範囲内で予め決定することができる。植物材４１、４２、客土５１、スペーサ５２、及び、不織布５３を上述した順序で、第１の本体部材１０に投入して、第１、第２の本体部材１０、２０を結合したあと、一面１１１が上になるように上下反転する。
【０１３３】
図３２の工程は、図３１に示した工程のあとの工程であって、図２８〜図３１を参照して説明した敷設体の組み立て方法により、好ましくは組立工場などで施工対象領域Ｓ２に対して必要枚数分の敷設体１００ａ〜ｄを製造した後、施工現場へ搬送し、敷設体１００ａ〜ｄを施工対象領域Ｓ２に沿って、縦横に連続配置する。図３２の工程では、隣接する敷設体１００ｂ、ｃの雄形連結部１６および雌形連結部１７に対して、敷設体１００ｄを位置決めし、雄形連結部１６および雌形連結部１７を高さ方向Ｔから落とし込むなどして、敷設体１００ａ〜ｄ相互に嵌合させる。
【０１３４】
[図１６乃至図３２の植栽用構造体、敷設体、敷設体を用いた緑化方法の効果]
図１６乃至図２５を参照して説明した植栽用構造体の構造、図２６及び図２７を参照して説明した敷設体の構造、及び、図２８乃至図３２を参照して説明した緑化方法によると、以下の効果を奏することができる。
【０１３５】
植栽用構造体１は、有底箱状の第１の本体部材１０を有しているから、第１の開口部１２を通じて内部空間１０１に植物材４１、４２を収納することができる。従って、敷設体（１００ａ〜ｂ）は、植物材４１、４２を植栽用構造体に収納した状態で持ち運ぶことが可能となり、組立現場から施工現場までの運搬作業、施工現場における施工対象領域Ｓ２への敷設作業など施工効率が向上する。
第１の本体部材１０の第１の基板部１１は、第２の開口部１３を有している。植物材４１、４２は、第２の開口部１３から葉先を露出可能な向きで、内部空間１０１に収納されている。この構造によると、第２の開口部１３を通じて植物材４１、４２の葉先を外部に露出し、緑化された景観を演出することができる。
【０１３６】
第１の基板部１１は、複数の第２の開口部１３を有している。通常、第２の開口部１３の開口面積を小さくすれば、植物材４１、４２を外力から保護することができる。しかし、第２の開口部１３の開口面積を小さくすれば、その分だけ植物材４１、４２の露出面積が減少し、緑化された景観を演出することができなくなる。そこで、本発明では、複数の第２の開口部１３を、第１の基板部１１に、マトリックス状に配置することにより、各第２の開口部１３の開口面積を小さくするとともに、全体的な開口面積を最大限確保している。従って、植物材４１、４２を外力から保護することと、緑化された景観の実現という、相反する要請を同時に達成することができる。
【０１３７】
第１、第２の本体部材１０、２０は、第１、第２の基板部１１、２１が向かい合わせに配置され、柱部１４の先端部分が嵌合用凹部２３に嵌合されている。この構造によると、第１、第２の本体部材１０、２０の相対向面間には、柱部１４の突出寸法（Ｔ１４）に応じた空間ｇ２をもつ内部空間１０１が形成される。従って、この内部空間１０１に植物材４１、４２を収納することで、第１、第２の本体部材１０、２０により植物材４１、４２を挟持することができる。さらに、第１、第２の基板部１１、２１の板面形状を予め調節することにより、内部空間１０１に様々な平面形状の植物材４１、４２を挟持することができる。
【０１３８】
柱部１４は、先端部分に平らな先端面１４１を有する先細り形状であって、第１の基板部１１と一体的に成形され、複数が、他面１１２にマトリックス状に突設されている。従って、仮に第１の基板部１１の一面１１１に荷重が加えられたとしても、この荷重を複数の柱部１４で分散して支持し、第１、第２の本体部材１０、２０の間の空間ｇ２が縮小する不具合を回避し得る。具体的に、図３３に示すように、第１の基板部１１の一面１１１に自動車の上載荷重Ｆ１が加えられたとしても、空間ｇ２が一定に保たれることとなり、自動車の上載荷重Ｆ１によって植物材４１、４２が押し固められてしまう問題は生じない。
【０１３９】
また、第２の開口部１３に露出する植物材４１、４２の表面は、その周りが第１の基板部１１の一面１１１によって囲まれているから、図３３に示すように、タイヤ６が主に一面１１１によって受けられ、植物材４１、４２の表面を摩擦力Ｆ２から保護することができる。
【０１４０】
さらに、タイヤ６と、植物材４１、４２の表面との間には突出部１１３に応じた空間ｇ３があり、複数の突出部１１３が一体的な踏み面Ｓ１を構成しているから、摩擦力Ｆ２が突出部１１３、及び、踏み面Ｓ１によって受けられ、植物材４１、４２の表面を摩擦力Ｆ２から保護することができる。この構造によると、防護部材３０の貫通孔３３から外部に露出する植物材４１、４２の葉先が、摩擦力Ｆ２を受けたときに、貫通孔３３の開口端縁に挟まれて刈り取られてしまう不都合は生じない。従って、敷設体１００の一面に常に植物材４１、４２の葉先が露出している状態を保ち、緑化された景観を演出することができる。
【０１４１】
さらに敷設体１００において、柱部１４が、植物材４１、４２を貫通していることにより、第１の本体部材１０、及び、第１の基板部１１が柱部１４によって、植物材４１、４２と一体化される。これにより、摩擦力Ｆ２が、第１の基板部１１に加えられた場合、第１の基板部１１には植物材４１、４２の重量による制動力が働く。従って、第１の本体部材１０が、植物材４１、４２を置き去りにして、水平移動してしまうなどの不正移動が抑制され、第１の本体部材１０、及び、第１の基板部１１による植物材４１、４２の保護状態が良好に維持される。
【０１４２】
内部空間１０１の内部には、柱部１４が突設されているから、例えば植物材４１、４２の根は柱部１４を避けて内部空間１０１を自由に育成し、雨水等は柱部１４を避けて内部空間１０１を自由に移動する。従って、敷設体１００を敷設した後の植物材の育成コスト、維持管理コストを低減することができる。
【０１４３】
植物材４１、４２は、第１、第２の本体部材２０、２０により挟持された状態で内部空間１０１に収納されている。ここで、第１の本体部材１０は側壁部１５を有し、側壁部１５は、他面の周縁から柱部１４の突出寸法（Ｔ１４）に応じて立ち上がっているから、植栽用構造体１の側面は、側壁部１５で覆われていることとなる。この構造によると、植物材４１、４２を植栽用構造体１と一体に持ち運ぶことが可能であり、製造工場から施工現場までの敷設体１００の運搬作業、施工現場における敷設作業が容易になる。
【０１４４】
図１６乃至図３４の敷設体は、植物材４１、４２の葉先を露出するための第２の開口部１３が防護部材３０で覆われている点で、図１乃至図１５の敷設体と同様の作用効果を奏することができる。例えば、植物材４１、４２は、シート状またはマット状であって、第２の開口部１３から葉先を露出可能な向きで、内部空間１０１に収納され、収納された状態で、植物材４１、４２の表面が防護部材３０によって覆われている。この構造によると、防護部材３０の貫通孔３３を通じて植物材４１、４２の葉先を外部に露出し、緑化された景観を演出することができる。
【０１４５】
防護部材３０の貫通孔３３は、婦人靴の踵部の先端が通過不能な開孔形状、及び、差し渡し寸法を有し、好ましくは最小差し渡し孔径Ｄ３３が１０ｍｍ以下である。通常、婦人靴の踵部７１の先端部の直径は１０ｍｍよりも大きいから、歩行者が、パンプスやハイヒールなど細長い踵部７１を有する婦人靴を履いて敷設体１００上を歩いた場合でも、踵部７１が植栽用構造体１の内部に没入する不具合は回避される。図３４の実施形態において、仮に防護部材３０がないとすると、踵部７１は、植物材４１、４２を貫通し、さらに客土５１、スペーサ５２、不織布５３を貫通して地表面８にまで達する。すなわち、芝生上を直接ハイヒールで歩いた場合よりも、植栽用構造体１の厚みの分だけ踵部７１の没入距離が拡大され、踵部７１の没入距離が拡大された分だけ、大きくバランスを崩し、思わぬ転倒事故が生じる。
【０１４６】
これに対し、本願発明では、防護部材３０によって第２の開口部１３を覆うことにより、歩行者の靴裏７０が突出部１１３に支持された状態で、踵部７１の先端部の没入距離が防護部材３０の一面（３１）まで留められる。従って、植物材４１、４２を婦人靴の踵部７１から保護するとともに、踵部７１が植栽用構造体１の内部に没入することにより生じる転倒事故を未然に防止し、歩行者の安全を確保することができる。
【０１４７】
防護部材３０の形状をコ字状の形状として、踏み面部３５と第１の脚部３６のなす角、及び、踏み面部３５と第２の脚部３７のなす角度は、ともに直角より僅かに大きくすることが望ましい。防護部材３０の形状を、上述した形状にすることにより、第１の本体部材１０の柱部１４の周りに４個の防護部材３０で囲うように配設して、敷設体中を埋め尽くすことができるので、第１の本体部材１０の柱部１４の強度を高めることができ、結果的に敷設体全体の剛性を高めることが可能になる。
【０１４８】
図３５は、本発明の更にもう一つの実施形態に係る緑化方法を示す図である。図３５において、図１６乃至図３４に示した構成部分と同一の構成部分には、同一の参照符号を付す。
【０１４９】
[もう一つの実施形態に係る緑化方法]
図３５に示す緑化方法は、図２８乃至図３２を参照して説明した緑化方法において、第１の本体部材１０に、不織布５３と、スペーサ５２と、客土５１と、植物材４１、４２と上述した順序で投入し、第２の本体部材２０と結合して反転した後、又は、施工対象領域Ｓ２に沿って縦横に配置した後の何れかの時点で、防護部材３０を第２の開口部１３にはめ込むことにより、図２６及び図２７に示した敷設体１００を構成するものである。図３５の緑化方法によっても、図１６乃至図３４を参照して説明した緑化方法と同様の作用効果を奏することができる。
【０１５０】
図３６は本発明の緑化方法に用いられる防護部材について別の実施形態を示す斜視図、図３７は図３６の防護部材３０の平面図である。図３６及び図３７において、図１６乃至図３５に示した構成部分と同一の構成部分には、同一の参照符号を付す。
【０１５１】
図３６及び図３７の防護部材３０は、図１６乃至図３２を参照して説明した緑化方法に用いられる防護部材３０について、別の実施形態を示すものである。
【０１５２】
図１６乃至図３２を参照して説明したように、この種の植栽用構造体に開口部を設け、植物材の葉先を外部に露出した場合、緑化された景観を演出しうる反面、開口部に婦人靴の踵部が没入し、思わぬ転倒事故が生じる。本願発明に係る防護部材３０は、上述問題を解決するものであって、植物材４１、４２の葉先を外部に露出するとともに、婦人靴の踵部７１が没入する不具合を回避する点に特徴がある。従って、上述問題を解決しうる範囲で、様々な形態をとることができる。
【０１５３】
[もう一つの実施形態に係る防護部材３０]
図３６及び図３７の防護部材３０は、好ましくはパンチングメタルを用いることができる。防護部材３０は、踏み面部３５と、第１、第２の脚部３６、３７とを有し、好ましくは断面コ字状となっている。第１、第２の脚部３６、３７は、踏み面部３５の向かい合う両辺から、踏み面部３５に対して垂下している。
【０１５４】
踏み面部３５は、長手方向Ｌで向かい合う２片を有し、面内に複数の貫通孔３３を有している。貫通孔３３は、長手方向Ｌに沿って伸びる長孔であって、踏み面部３５から第１の脚部３６の上部側面、及び、踏み面部３５から第２の脚部３７の上部側面において、一面３１から他面３２に貫通している。貫通孔３３は、一面３１で見た開口部分の最小差し渡し孔径Ｄ３３が１０ｍｍ以下である。複数の貫通孔３３は、長手方向Ｌに向かい合う踏み面部３５の両辺において、３つが幅方向Ｗに沿って横並びに配置されている。
防護部材３０の踏み面部３５は、第２の開口部（１３）の開口形状に適合する形状を有し、第２の開口部（１３）内において、第２の開口部（１３）の開口端縁よりも低い位置に配置され、配置された状態で、踏み面部３５が第２の開口部（１３）を覆い、且、第１、第２の脚部３６、３７が、第２の基板部（２１）の一面（２１１）に突き当たる。
【０１５５】
図３６及び図３７の防護部材３０を用いても、図１６乃至図３２を参照して説明した緑化方法の作用効果を奏することができる。
【０１５６】
図３８は本発明の更にもう一つの実施形態に係る植栽用構造体１の斜視図、図３９は図３８の敷設体の正面断面図である。図３８及び図３９において、図１６乃至図３７に示した構成部分と同一の構成部分には、同一の参照符号を付す。
【０１５７】
[もう一つの実施形態に係る植栽用構造体]
図３８及び図３９の植栽用構造体は、第１の本体部材１０と、防護部材３０との組み合わせに特徴の一つがある。図３８の植栽用構造体において、防護部材３０は、第１の本体部材１１の一面１１１に取り付けられ、複数の第２の開口部１３を一体的に覆っている。一面１１１と、防護部材３０との結合構造について、以下、図３９を参照して説明する。
【０１５８】
第１の基板部１１は、外面において第２の開口部１３が設けられていない部分１１４に突出部１１３を有している。
【０１５９】
防護部材３０は、面内に第３の開口部（３４）を複数有している。図３９において、第３の開口部（３４）は、突出部１１３に適合する開口形状及び径寸法を有している。防護部材３０は、一面１１１と向かい合う関係で配置され、突出部１１３が第３の開口部３４に案内され、第３の開口部３４の開口端縁が、突出部１１３の周囲の一面１１１に載置される。防護部材３０は、第２の開口部１３を覆い、第２の開口部１３を覆った状態で、突出部１１３が防護部材３０の一面３１に突出している。図３８及び図３９の防護部材３０は、一面１１１に配置され、配置された状態で、防護部材３０の一面３１が、第２の開口部１３の開口端縁より高く、突出部１１３の表面より低い位置にある。
【０１６０】
図３８及び図３９の植栽用構造体１によっても、植物材４１、４２の葉先を外部に露出するための第２の開口部１３が防護部材３０によって覆われているから、図１６乃至図３２を参照して説明した緑化方法の作用効果を奏することができる。
【０１６１】
さらに、防護部材３０の一面３１と、突出部１１３の表面との間には、突出部１１３の突出寸法に応じた高低差が生じ、この高低差に基づく空間ｇ３が生じる。従って、第２の開口部１３、及び、防護部材３０の貫通孔３３を通じて外部に露出された植物材４１、４２の葉先を、歩行者の踏圧や、自動車の上載荷重、回転するタイヤから受ける摩擦などの外力から保護することができる。
【０１６２】
以上、好ましい実施例を参照して本発明の内容を具体的に説明したが、本発明の基本的技術思想及び教示に基づいて、当業者であれば、種種の変形態様を採り得ることは自明である。
【符号の説明】
【０１６３】
１００              敷設体
１                  植栽用構造体
１０                本体部材（第１の本体部材）
１１                第１の基板部
１２                第１の開口部
１３                第２の開口部
１４                柱部
２０                第２の本体部材
３０                防護部材
３３                貫通孔
４１、４２          植物材
Ｌ                  長手方向
Ｗ                  幅方向
Ｔ                  高さ方向
Ｄ３３              最小差し渡し孔径
【図１】
2011000023.tif 000003
【図２】
2011000023.tif 000004
【図３】
2011000023.tif 000005
【図４】
2011000023.tif 000006
【図５】
2011000023.tif 000007
【図６】
2011000023.tif 000008
【図７】
2011000023.tif 000009
【図８】
2011000023.tif 000010
【図９】
2011000023.tif 000011
【図１０】
2011000023.tif 000012
【図１１】
2011000023.tif 000013
【図１２】
2011000023.tif 000014
【図１３】
2011000023.tif 000015
【図１４】
2011000023.tif 000016
【図１５】
2011000023.tif 000017
【図１６】
2011000023.tif 000018
【図１７】
2011000023.tif 000019
【図１８】
2011000023.tif 000020
【図１９】
2011000023.tif 000021
【図２０】
2011000023.tif 000022
【図２１】
2011000023.tif 000023
【図２２】
2011000023.tif 000024
【図２３】
2011000023.tif 000025
【図２４】
2011000023.tif 000026
【図２５】
2011000023.tif 000027
【図２６】
2011000023.tif 000028
【図２７】
2011000023.tif 000029
【図２８】
2011000023.tif 000030
【図２９】
2011000023.tif 000031
【図３０】
2011000023.tif 000032
【図３１】
2011000023.tif 000033
【図３２】
2011000023.tif 000034
【図３３】
2011000023.tif 000035
【図３４】
2011000023.tif 000036
【図３５】
2011000023.tif 000037
【図３６】
2011000023.tif 000038
【図３７】
2011000023.tif 000039
【図３８】
2011000023.tif 000040
【図３９】
2011000023.tif 000041